(57)【要約】【課題】消費電流が微小で、任意に基準電圧を高く設定することが出来る基準電圧回路を提供する。【解決手段】ゲートとドレインが接続された第一導電型エンハンスメント型の第１ＭＯＳトランジスタと、ゲートが第１ＭＯＳトランジスタのソースに接続されソースが第１ＭＯＳトランジスタのドレインに接続されドレインが出力端子に接続された第一導電型デプレッション型の第２ＭＯＳトランジスタを備えた第１ＭＯＳトランジスタペアと、ゲートとドレインが出力端子に接続されソースが第２ＭＯＳトランジスタのソースに接続された第一導電型エンハンスメント型の第３ＭＯＳトランジスタと、ゲートが第３ＭＯＳトランジスタのソースに接続されソースが出力端子に接続された第一導電型デプレッション型の第４ＭＯＳトランジスタを備えた第２ＭＯＳトランジスタペアと、を備え、全てのＭＯＳトランジスタは弱反転領域で動作する。【選択図】図１
2020129236.tif 000002
【特許請求の範囲】
【請求項１】
第１ＭＯＳトランジスタペアと第２ＭＯＳトランジスタペアと出力端子を備え、
前記第１ＭＯＳトランジスタペアは、
ゲートとドレインが接続された第一導電型エンハンスメント型の第１ＭＯＳトランジスタと、ゲートが前記第１ＭＯＳトランジスタのソースに接続され、ソースが前記第１ＭＯＳトランジスタのドレインに接続され、ドレインが前記出力端子に接続された第一導電型デプレッション型の第２ＭＯＳトランジスタと、を備え、
前記第２ＭＯＳトランジスタペアは、
ゲートとドレインが前記出力端子に接続され、ソースが前記第２ＭＯＳトランジスタのソースに接続された第一導電型エンハンスメント型の第３ＭＯＳトランジスタと、ゲートが前記第３ＭＯＳトランジスタのソースに接続され、ソースが前記出力端子に接続された第一導電型デプレッション型の第４ＭＯＳトランジスタと、を備え、
全てのＭＯＳトランジスタは弱反転領域で動作することを特徴とする基準電圧回路。
【請求項２】
前記第１ＭＯＳトランジスタペアは、複数のＭＯＳトランジスタペアで構成された
ことを特徴とする請求項１に記載の基準電圧回路。
【請求項３】
ゲートとドレインが前記第１ＭＯＳトランジスタのソースに接続され、ソースが前記第２ＭＯＳトランジスタのゲートに接続され、弱反転領域で動作する第一導電型エンハンスメント型の第５ＭＯＳトランジスタを備えた
ことを特徴とする請求項１に記載の基準電圧回路。
【請求項４】
前記第４ＭＯＳトランジスタのソースと前記出力端子の間に介挿され、弱反転領域で動作する第一導電型デプレッション型の第６ＭＯＳトランジスタと第２導電型エンハンスメント型の第７ＭＯＳトランジスタを有する出力回路を備えた
ことを特徴とする請求項１から３のいずれかに記載の基準電圧回路。
【請求項５】
請求項１から４のいずれかに記載の基準電圧回路を備えた半導体装置。
【発明の詳細な説明】
【技術分野】
【０００１】
本発明は、基準電圧回路及び半導体装置に関する。
【背景技術】
【０００２】
従来から、半導体装置において、エンハンスメント型ＭＯＳトランジスタとデプレッション型ＭＯＳトランジスタの閾値電圧の絶対値の和で出力電圧が決定される基準電圧回路が用いられている。
そのような基準電圧回路が出力する基準電圧は、エンハンスメント型ＭＯＳトランジスタとデプレッション型ＭＯＳトランジスタの各閾値電圧の温度依存性が相殺し合うことで、温度依存性が小さくなることが知られている。また、デプレッション型ＭＯＳトランジスタ、或いは、エンハンスメント型ＭＯＳトランジスタのいずれかの個数を増やすことで、任意の高い基準電圧を得ることが出来る（例えば、特許文献１の図２から図４参照）。
【先行技術文献】
【特許文献】
【０００３】
【特許文献１】特許第６２９２９０１号
【発明の概要】
【発明が解決しようとする課題】
【０００４】
しかしながら、特許文献１の基準電圧回路では、エンハンスメント型ＭＯＳトランジスタとデプレッション型ＭＯＳトランジスタをバイアスするために２つ以上の定電流源を備えている。従って、２つ以上の経路に電流が常に流れるため、消費電流を小さくし難いという課題がある。
【０００５】
本発明は上記課題に鑑みて為され、消費電流が微小で、任意に基準電圧を高く設定することが出来る基準電圧回路を提供することを目的とする。
【課題を解決するための手段】
【０００６】
本発明の基準電圧回路は、
第１ＭＯＳトランジスタペアと第２ＭＯＳトランジスタペアと出力端子を備え、
前記第１ＭＯＳトランジスタペアは、
ゲートとドレインが接続された第一導電型エンハンスメント型の第１ＭＯＳトランジスタと、ゲートが前記第１ＭＯＳトランジスタのソースに接続され、ソースが前記第１ＭＯＳトランジスタのドレインに接続され、ドレインが前記出力端子に接続された第一導電型デプレッション型の第２ＭＯＳトランジスタと、を備え、
前記第２ＭＯＳトランジスタペアは、
ゲートとドレインが前記出力端子に接続され、ソースが前記第２ＭＯＳトランジスタのソースに接続された第一導電型エンハンスメント型の第３ＭＯＳトランジスタと、ゲートが前記第３ＭＯＳトランジスタのソースに接続され、ソースが前記出力端子に接続された第一導電型デプレッション型の第４ＭＯＳトランジスタと、を備え、全てのＭＯＳトランジスタは弱反転領域で動作することを特徴とする。
【発明の効果】
【０００７】
本発明の基準電圧回路によれば、弱反転動作する第一導電型エンハンスメント型のＭＯＳトランジスタ（第１ＭＯＳトランジスタ）の電流で消費電流が決まるため、消費電流を容易に微小とすることが出来る。
【図面の簡単な説明】
【０００８】
【図１】本発明の実施形態の基準電圧回路を説明するための回路図である。
【図２】本実施形態の基準電圧回路の他の例を説明するための回路図である。
【図３】本実施形態の基準電圧回路の他の例を説明するための回路図である。
【図４】本実施形態の基準電圧回路の他の例を説明するための回路図である。
【発明を実施するための形態】
【０００９】
以下、本発明の実施形態について図面を参照して説明する。
【００１０】
図１は、本発明の実施形態の基準電圧回路を説明するための回路図である。
【００１１】
本実施形態の基準電圧回路１０は、第一導電型（ここではＮチャネル型）エンハンスメント型のＭＯＳトランジスタ１１、１２と、第一導電型デプレッション型のＭＯＳトランジスタ２１、２２と、を備えている。ここで、ＭＯＳトランジスタ１１とＭＯＳトランジスタ２１で第１ＭＯＳトランジスタペアを構成し、ＭＯＳトランジスタ１２とＭＯＳトランジスタ２２で第２ＭＯＳトランジスタペアを構成する。
【００１２】
基準電圧回路１０の各構成要素の接続について説明する。
ＭＯＳトランジスタ１１は、ソースが接地端子１００に接続され、ゲートとドレインがＭＯＳトランジスタ１２のソースに接続されている。ＭＯＳトランジスタ１２は、ゲートとドレインが出力端子１０２に接続されている。ＭＯＳトランジスタ２１は、ソースがＭＯＳトランジスタ１２のソースに接続され、ゲートが接地端子１００に接続され、ドレインが出力端子１０２に接続されている。ＭＯＳトランジスタ２２は、ソースが出力端子１０２に接続され、ゲートがＭＯＳトランジスタ２１のソースに接続され、ドレインが電源端子１０１に接続される。ＭＯＳトランジスタ１１のドレインとＭＯＳトランジスタ２１のソースの接続点を接点Ｎ１とする。
【００１３】
掛かる構成の基準電圧回路１０の動作について、以下に説明する。
ＭＯＳトランジスタ１１のドレイン電圧は、ＭＯＳトランジスタ２１のゲート・ソース間電圧によって下降を制限される。ＭＯＳトランジスタ２１のソース電圧は、ＭＯＳトランジスタ１１のゲート・ソース間電圧によって上昇を制限される。結果として、接点Ｎ１の電圧は、接地端子１００を基準とした一定電圧に安定する。
【００１４】
ＭＯＳトランジスタ１２とＭＯＳトランジスタ２２においても、同様の関係が成立し、ＭＯＳトランジスタ１２のドレインとＭＯＳトランジスタ２２のソースの接続点である出力端子１０２の電圧は、接点Ｎ１を基準とした一定電圧に安定する。
【００１５】
ここで、各エンハンスメント型ＭＯＳトランジスタの閾値電圧ＶTEは、各デプレッション型ＭＯＳトランジスタの閾値電圧ＶTDの絶対値よりも大きく設定する。
【００１６】
このように閾値を設定すると、ＭＯＳトランジスタ１１、１２と、ＭＯＳトランジスタ２１、２２は全て弱反転領域で動作する。従って、出力端子１０２の電圧は、式１の出力電圧Ｖoutで安定する。
【００１７】
【数１】
2020129236.tif 000003
ここで、ｎは弱反転スロープ係数、ＵTは熱電圧、Ｃは回路構成及び各ＭＯＳトランジスタの設計値に基く定数である。
【００１８】
基準電圧回路１０の消費電流は、弱反転領域で動作するＭＯＳトランジスタ１１のドレイン電流で決まるので、微小にすることが可能となる。従って、消費電流を小さくするために、ＭＯＳトランジスタのＬ長を大きくすることや、微小な定電流を生成する定電流回路を必要としないので、回路規模を小さくすることが出来る。
【００１９】
また、式１からわかるように、右辺第一項は、閾値電圧ＶTEと閾値電圧ＶTDの温度依存性が相殺し合う。従って、右辺第二項の寄与を第一項よりも小さくするか、あるいは、右辺第二項の温度依存性を第一項に残る温度依存性と相殺するように調整することで、出力電圧Ｖoutの温度依存性を小さくすることが出来る。
【００２０】
上述したように、本実施形態の基準電圧回路によれば、弱反転動作のエンハンスメント型ＭＯＳトランジスタの電流で消費電流が決まる構成としたため、小さい回路規模で消費電流を微小にすることが出来る。
【００２１】
なお、本実施形態の基準電圧回路は、２組のＭＯＳトランジスタペアで構成したが、より高い基準電圧を得たい場合は、第１ＭＯＳトランジスタペアを複数のＭＯＳトランジスタペアで構成しても良い。例えば、図２の基準電圧回路１０のように、第１ＭＯＳトランジスタペアをＭＯＳトランジスタ１１ａ、２１ａのＭＯＳトランジスタペアとＭＯＳトランジスタ１１ｂ、２１ｂのＭＯＳトランジスタペアで構成しても良い。ここで、ＭＯＳトランジスタ１１ａのドレインとＭＯＳトランジスタ２１ａのソースの接点をＮ１ａ、ＭＯＳトランジスタ１１ｂのドレインとＭＯＳトランジスタ２１ｂのソースの接点をＮ１ｂとする。
【００２２】
掛かる構成の基準電圧回路１０の動作について、以下に説明する。
ＭＯＳトランジスタ１１ａ、１１ｂと、ＭＯＳトランジスタ２１ａ、２１ｂは図１の基準電圧回路１０と同様に動作し、接点Ｎ１ｂの電圧は式１で表される。
【００２３】
ＭＯＳトランジスタ１２とＭＯＳトランジスタ２２においても同様の動作関係が成立し、ＭＯＳトランジスタ１２のドレインとＭＯＳトランジスタ２２のソースの接点である出力端子１０２の電圧は接点Ｎ１ｂを基準とした一定電圧に安定化する。
【００２４】
また同様に、ＭＯＳトランジスタ１２とＭＯＳトランジスタ２２は弱反転領域で動作し、出力端子１０２の出力電圧Ｖoutは式２の電圧に安定化する。
【００２５】
【数２】
2020129236.tif 000004
【００２６】
そして、上述した動作の説明は、ＭＯＳトランジスタのペアの数が増えて、Ｍ個になったとしても同様のことが繰り返される。即ち、ＭＯＳトランジスタのペアの数Ｍを調整することにより、エンハンスメント型ＭＯＳトランジスタとデプレッション型ＭＯＳトランジスタの閾値電圧の和の電圧の１/２に比例した任意の高い電圧が得ることが可能となる。また、基準電圧回路１０の消費電流は、弱反転領域で動作するＭＯＳトランジスタ１１（１１ａ）のドレイン電流で決定されるので、微小にすることが可能となる。
【００２７】
図３は、本実施形態の基準電圧回路の他の例を説明するための回路図である。
【００２８】
基準電圧回路１０ａは、図１の基準電圧回路１０に加えて、ＭＯＳトランジスタ１１と接地端子１００との間に第一導電型エンハンスメント型のＭＯＳトランジスタ１３が介挿されて構成される。図３の回路図において、図１と同様の構成については、同一の符号を付与し、詳細な説明は省略する。
【００２９】
ＭＯＳトランジスタ１３は、ソースが接地端子１００に接続され、ゲートとドレインはＭＯＳトランジスタ１１のソースに接続される。ＭＯＳトランジスタ２１のゲートは、ＭＯＳトランジスタ１３のソースと接地端子１００に接続される。
【００３０】
掛かる構成の基準電圧回路１０ａの動作について、以下に説明する。
基準電圧回路１０ａは、ＭＯＳトランジスタ１１とＭＯＳトランジスタ１３が直列に接続されているため、安定状態において各々のゲート・ソース間電圧は小さい。即ち、ＭＯＳトランジスタ１１とＭＯＳトランジスタ１３は、高温においても弱反転領域の動作点を持つ。
【００３１】
一般的に高温では、ＭＯＳトランジスタの閾値電圧が低くなるため、ＭＯＳトランジスタは弱反転動作から強反転動作に移行しやすい。基準電圧回路１０ａは、上述のように構成したので、高温においてもＭＯＳトランジスタ１１とＭＯＳトランジスタ１３が弱反転領域の動作点を保持し、消費電流を小さくし続けることが出来る。
【００３２】
以上説明したように、基準電圧回路１０ａによれば、基準電圧回路１０の効果に加えて、広い温度範囲で消費電流を微小にすることが出来る。
【００３３】
図４は、本実施形態の基準電圧回路の他の例を説明するための回路図である。
【００３４】
基準電圧回路２０は基準電圧回路１０に加えて、第一導電型デプレッション型のＭＯＳトランジスタ２３と、第二導電型（ここではＰチャネル型）エンハンスメント型のＭＯＳトランジスタ３１と、を備えている。ＭＯＳトランジスタ２３とＭＯＳトランジスタ３１は、基準電圧回路の出力回路を構成する。図４の回路図において、図１と同様の構成については、同一の符号を付与し、詳細な説明は省略する。
【００３５】
ＭＯＳトランジスタ２３は、ドレインが電源端子１０１に接続され、ゲートが接点Ｎ２に接続され、ソースが出力端子１０２に接続される。ＭＯＳトランジスタ３１は、ソースが出力端子１０２に接続され、ゲートが接点Ｎ２に接続され、ドレインが接地端子１００に接続される。
【００３６】
掛かる構成の基準電圧回路２０の動作について、以下に説明する。
ＭＯＳトランジスタ１１、１２と、ＭＯＳトランジスタ２１、２２は基準電圧回路１０と同様に動作し、ＭＯＳトランジスタ１２のドレインとＭＯＳトランジスタ２２のソースの接点Ｎ２の電圧が式１で表される。
【００３７】
ここで、ＭＯＳトランジスタ３１の閾値電圧ＶTE2の絶対値は、ＭＯＳトランジスタ２３の閾値電圧ＶTDの絶対値よりも大きいように設定する。この時、ＭＯＳトランジスタ３１とＭＯＳトランジスタ２３は、弱反転領域で動作し、出力端子１０２の出力電圧Ｖoutは式３の電圧に安定化する。
【００３８】
【数３】
2020129236.tif 000005
ＭＯＳトランジスタ３１は弱反転領域で動作するため、ＭＯＳトランジスタ３１を経由した電源端子１０１と接地端子１００間の経路の電流は微小となる。そのため、ＭＯＳトランジスタ３１とＭＯＳトランジスタ２３の追加による消費電流の増加はごく僅かとなる。
【００３９】
また、式３の右辺第三項の閾値電圧ＶTE2と閾値電圧ＶTDは温度依存性が相殺し合う。そのため、基準電圧回路２０の出力電圧Ｖoutの温度依存性は小さくなる。
【００４０】
上述のように構成した基準電圧回路２０では、出力インピーダンスがＭＯＳトランジスタ３１とＭＯＳトランジスタ２３の設計値によって決まるため、エンハンスメント型ＭＯＳトランジスタとデプレッション型ＭＯＳトランジスタのペア数の影響を受けない。従って、基準電圧回路２０によれば、エンハンスメント型ＭＯＳトランジスタとデプレッション型ＭＯＳトランジスタのペア数が増加しても、出力インピーダンスを低くすることが出来る。
【００４１】
以上、本発明の実施形態について説明したが、本発明は上記実施形態に限定されず、本発明の趣旨を逸脱しない範囲において種々の変更が可能であることは言うまでもない。
例えば、基準電圧回路１０ａにおいて、エンハンスメント型ＭＯＳトランジスタ１３を複数と備えてもよい。
【符号の説明】
【００４２】
１０、２０  基準電圧回路
１１、１２、１３  第一導電型エンハンスメント型ＭＯＳトランジスタ
２１、２２、２３  第一導電型デプレッション型ＭＯＳトランジスタ
３１  第二導電型エンハンスメント型ＭＯＳトランジスタ
１００  接地端子
１０１  電源端子
１０２  出力端子
【図１】
2020129236.tif 000006
【図２】
2020129236.tif 000007
【図３】
2020129236.tif 000008
【図４】
2020129236.tif 000009